(57)【要約】【課題】  構造が簡単で持ち運びし易く、穴を掘らなくても容易に設置ができて、獣の足をくくる捕獲ループを水平状態で獣の足の高い位置に素早く到達させて、捕獲ループを掛かり易くしたくくり罠の提供。【解決手段】  獣の足をくくる捕獲ループ機構と、捕獲ループを取付けて跳ね上がる本体機構にセパレートできる構造で、異なる種類の複数のバネ３と４と、バネの力で地面を蹴って本体機構を跳ね上げる複数の跳ね上げ羽根５とアーム６を備えており、本体機構に捕獲ループ機構を取付けて地面に設置する。踏み板を踏むと、連動して作動するバネ止め９の上部が本体プレートの１から外れて止めが解除され、５と６が地面を蹴ってループ機構を取付けた本体機構を跳ね上げて、水平状態で獣の足の高い位置に素早く到達させ、ループ留８から外れた捕獲ループを捕獲ループ機構のバネの作用で捕獲ループを締めつける。【選択図】図６
2019037218.tif 000002
【特許請求の範囲】
【請求項１】
本発明は、獣の足をくくるループを備えた捕獲ループ機構と、捕獲ループを取付けて跳ね上がる本体機構にセパレートできる構造であって、本体機構の外側本体プレートと内側本体プレートを自在に動くようにして左右で繋ぎ、バネを用いて水平状態から交差して×の状態になるまで可動するように取付けており、踏み板を踏むと連動するバネ止めが外れて本体機構が跳ね上がり、同時に跳ね上がって×の状態で本体プレートのループ留から外れた捕獲ループが獣の足をくくる罠で、本体機構が捕獲ループを取付けて跳ね上がる特徴を有し、捕獲ループを水平状態で獣の足の高い位置に素早く到達させることを特徴とするくくり罠。
【請求項２】
前述のバネは、外側本体プレートと内側本体プレートを繋ぐ部分にねじりバネを備えていて、跳ね上げ力と×状態での閉じ角度の調整を行い、加えて引張りバネを外側本体プレートと内側本体プレートを繋いで備えており、此れらのバネの力により本体機構が跳ね上がることを特徴とする請求項１に記載のくくり罠
【請求項３】
前述の、異なる種類と複数のバネは各々が容易に取り付け取り外しができて、状況により適宜付け外しを行って強度を変え、跳ね上がり力と速さを調整できることを特徴とする請求項１と２に記載のくくり罠
【請求項４】
本体機構の外側本体プレートと内側本体プレートには、バネの跳ね上げ力を地面に伝えて跳ね上げる、跳ね上げ羽根とアームを其々複数備えたくくり罠であって、アームは容易に取り付け取り外しができて、状況により適宜付け外しを行って効率的な跳ね上がりに調整できることを特徴とする請求項１と２と３に記載のくくり罠
【請求項５】
ねじりバネ或は引張りバネのどちらか１種類のバネでも可動することを特徴とする請求項１と２と３と４に記載のくくり罠
【請求項６】
捕獲ループは、特定の種類のバネやくくり構造に拘ることなく、本体機構に取付けることができて、ループ留から外れたところで締めつけができれば、捕獲ループ機構として用いることができることを特徴とする請求項１に記載のくくり罠
【発明の詳細な説明】
【技術分野】
【０００１】  本発明は、獣の足をくくるループを備えた捕獲ループ機構と、捕獲ループを取付けて跳ね上がる本体跳ね上がり機構（以下、本体機構）にセパレートできる構造で、捕獲ループを取付けた本体機構が跳ね上がり、捕獲ループを水平状態で獣の足の高い位置に素早く到達させて、くくり易くするくくり罠に関する。
【背景技術】
【０００２】  従来のくくり罠は、装置が作動すると地表や地表に近い低い処で捕獲ループが締まり始まる為に、獣の俊敏な動きや踏み込みが浅いと捕獲ループを獣の足の高い位置まで運べずにくくりが遅れてしまい、捕獲ループの掛かりが不十分になったり外れてしまうなどの要因となった。【０００３】  落し穴式のくくり罠は、穴掘りに多くの労力を要するうえ、設置に時間が掛かるので効率が悪く、設置場所周辺に猟師の臭いが残り易く獣に罠を気づかれる可能性が高かった。【０００４】  バネ等を用いてワイヤーを引き捕獲ループを絞めるくくり罠では、捕獲ループは斜めに引かれるのでループが傾いて変形してしまい、獣の俊敏な動きや踏み込みが浅いと捕獲ループの掛かりが不十分になったり外れてしまったりする。【０００５】  上述の通り従来のくくり罠は、捕獲ループを変形させずに水平状態で獣の足の高い位置に素早く到達させてくくることは機構的に困難である。この欠点を解決する為に落とし穴を深く掘るなどして対応するも、更に労力を要して設置時間も長引くことになった。
又、捕獲ループにループ変形防止の支えを設けたり、高い位置に誘導するガイド棒を立てるなどの対応をするが、何れの場合も根本的な解決にはならず効果は不十分であった。
【先行技術文献】
【特許文献】
【０００６】特開２０１６−０９６７８１号【０００７】特開平９−１４９７５４号【０００８】実登３２１０４０９号
【発明の概要】
【発明が解決しようとする課題】
【０００９】  構造が簡単で持ち運びし易く、穴を掘らなくても容易に設置ができて、獣の足をくくる捕獲ループを水平状態で獣の足の高い位置に素早く到達させることで、捕獲ループを掛かり易くしたくくり罠の提供。
【課題を解決するための手段】
【００１０】  獣の足をくくる捕獲ループ機構と、捕獲ループを取付けて跳ね上がる本体機構にセパレートできる構造で、本体機構には異なる種類の複数のバネと、バネの力で地面を蹴って本体機構を跳ね上げる、複数の跳ね上げ羽根とアームを備える。【００１１】  異なる種類と複数のバネは、其々が簡単に取り付けや取り外しができ、状況により適宜付け外しを行うことで跳ね上げ力と速さの調整ができる。アームは左右の跳ね上げ羽根を繋ぎ簡単に取り付けや取外しができて、状況により適宜付け外しを行って効果的な跳ね上がりに調整ができる。【００１２】  上述の通り、地面に穴を掘らないので短時間で設置することが可能であり、本体の跳ね上げ羽根が地面を蹴って跳ね上がるので、捕獲ループを取付けた本体機構が、捕獲ループを水平状態で獣の足の高い位置に素早く到達させることを可能にした。
【発明の効果】
【００１３】  従来のくくり罠のように地面に穴を掘る必要がなく、省力で短時間での設置が可能となる。此れにより周辺に猟師の臭いが残り難くなり、獣に気づかれる可能性が減少する。【００１４】  本体機構が跳ね上がることで、捕獲ループを水平状態で獣の足の高い位置に素早く到達させることができるので、獣の俊敏な動きにも遅れることなく捕獲ループを適切な箇所にくくることができるようになった。
【図面の簡単な説明】
【００１５】
【図１】図１は本体機構の平面図である。
【図２】図２は本体機構の側面図である。
【図３】図３は本体機構の斜視図である。
【図４】図４はループ機構例１の斜視図である。
【図５】図５は本体機構に、図４のループ機構例１を取付けた実施例である。
【図６】図６は本発明を設置した時の獣の足に捕獲ループをくくる実施イメージ図
【図７】図７はループ機構例２の斜視図である。
【発明を実施するための形態】
【００１６】  以下、本発明の実施の形態を図１〜図６に基づいて説明する。
【００１７】  図１において、１は外側の本体プレートで２は内側の本体プレートで、３のねじりバネと４の引張りバネを、其々１と２を繋いで左右に取付てバネを引張り、１と２を、図２の水平状態で、９のバネ止めを用いて止める。
バネの力で本体を跳ね上げる５の跳ね上げ羽根を、１と２の左右に其々取付け、同じく６のアームを１と２を繋いで取付ける。
９のバネ止めは７の踏み板と連動し、踏み板を踏むとバネ止めの上部が１から外れ、止めが解除される仕組みである。
図２において、８のループ留は４か所から８か所を適宜取付ける。
【００１８】  図５及び図６の実施例の通り、本体機構に捕獲ループ機構を取付け地面に設置する。
【００１９】  踏み板が踏まれ止めが解除されると、バネの力により本体プレートの５と６が地面を蹴って、図２の水平状態から図６の１６の×の状態に跳ね上がり、この時にループ留から捕獲ループが外れ、捕獲ループ機構のバネの作用で捕獲ループを締めつけ獣の足をくくる。
【００２０】  図４ループ機構例１と図７のループ機構例２のように、異なるバネの種類や構造であっても、ループを本体機構に取付けることが可能であれば捕獲ループとして用いることが可能である。
【符号の説明】
【００２１】  １．外側本体プレート
２．内側本体プレート
３．ねじりバネ
４．引張りバネ
５．跳ね上げ羽根
６．アーム
７．踏み板
８．ループ留
９．踏み板止め
１０．捕獲ループ
１１．圧縮バネ
１２．バネ収納筒
１３．より戻し
１４．ワイヤー
１５．バネ止め
１６．本体機構
１７．捕獲ループ機構
１８．捕獲ループ機構を取付けた本体機構
１９．引張りバネ
２０．引き紐
２１．捕獲ループ締め具
２２．杭
【図１】
2019037218.tif 000003
【図２】
2019037218.tif 000004
【図３】
2019037218.tif 000005
【図４】
2019037218.tif 000006
【図５】
2019037218.tif 000007
【図６】
2019037218.tif 000008
【図７】
2019037218.tif 000009